(57)【要約】【課題】災害時に被害の拡大を防止することができるとともに人に迅速で安全な避難をさせることができる電気管理サーバ、災害時電気管理システム及び電気管理方法を提供する。  【解決手段】電気管理サーバ３０は、地震発生通知サーバ２０から地震の発生の通知を受信して建物７０における地震の発生を認識すると、人感センサの検出結果に基づいて建物７０の部屋７１に人が存在するかどうかを判断し、部屋７１において人の存在が認識されないときは建物７０への電気の供給をブレーカ６２に停止させる。人の存在が認識されるときは電気の供給を停止させず、照明機器５１ａによって明かりを生じさせることを可能とする。【選択図】図１
2007151303.tif 000002
【特許請求の範囲】
【請求項１】
所定の場所における災害の発生を認識する災害発生認識手段と、前記場所における人の存在を認識する人存在認識手段と、前記災害発生認識手段によって前記災害の発生が認識された場合であって前記人存在認識手段によって前記人の存在が認識されないときに前記場所への電気の供給をブレーカに停止させるブレーカ作動手段とを備え、前記場所に設置されたことを特徴とする電気管理サーバ。
【請求項２】
前記場所は、複数の部屋を備えた建物であり、
前記人存在認識手段は、前記部屋毎に人の存在を認識し、
前記ブレーカ作動手段は、前記部屋毎に電気の供給を前記ブレーカに停止させることを特徴とする請求項１に記載の電気管理サーバ。
【請求項３】
前記災害発生認識手段によって前記災害の発生が認識された場合であって前記人存在認識手段によって前記人の存在が認識されないときに前記場所への電気の供給が前記ブレーカ作動手段によって停止させられる前に前記場所に存在する電気機器の電源を切断する電源切断手段を備えたことを特徴とする請求項１に記載の電気管理サーバ。
【請求項４】
前記災害発生認識手段によって前記災害の発生が認識された場合であって前記人存在認識手段によって前記人の存在が認識されるときに前記場所に存在する電気機器のうち照明機器以外の電気機器の電源を切断する電源切断手段を備えたことを特徴とする請求項１に記載の電気管理サーバ。
【請求項５】
前記場所の明るさを認識する明るさ認識手段と、前記災害発生認識手段によって前記災害の発生が認識された場合であって前記人存在認識手段によって前記人の存在が認識されて前記明るさ認識手段によって認識された明るさが所定値未満であるときに前記場所に存在する電気機器のうち照明機器以外の電気機器の電源を切断する電源切断手段とを備えたことを特徴とする請求項１に記載の電気管理サーバ。
【請求項６】
前記災害発生認識手段によって前記災害の発生が認識された場合であって前記人存在認識手段によって前記人の存在が認識されるときに前記場所に存在する電気機器のうち照明機器及び電気錠以外の電気機器の電源を切断する電源切断手段を備えたことを特徴とする請求項１に記載の電気管理サーバ。
【請求項７】
前記場所の明るさを認識する明るさ認識手段と、前記災害発生認識手段によって前記災害の発生が認識された場合であって前記人存在認識手段によって前記人の存在が認識されて前記明るさ認識手段によって認識された明るさが所定値未満であるときに前記場所に存在する電気機器のうち照明機器及び電気錠以外の電気機器の電源を切断する電源切断手段とを備えたことを特徴とする請求項１に記載の電気管理サーバ。
【請求項８】
前記電源切断手段は、前記電気機器の電源を切断する前に前記電気機器に所定の処理を行わせることを特徴とする請求項３〜請求項７の何れか１項に記載の電気管理サーバ。
【請求項９】
前記場所は、複数の部屋を備えた建物であり、
前記人存在認識手段は、前記部屋毎に人の存在を認識し、
前記電源切断手段は、前記部屋毎に前記電気機器の電源を切断することを特徴とする請求項３〜請求項８の何れか１項に記載の電気管理サーバ。
【請求項１０】
前記災害発生認識手段によって前記災害の発生が認識された場合であって前記人存在認識手段によって前記人の存在が認識されないときに前記場所への電気の供給が前記ブレーカ作動手段によって停止させられる前に前記場所の出入口の電気錠を施錠する電気錠施錠手段を備えたことを特徴とする請求項１に記載の電気管理サーバ。
【請求項１１】
前記災害発生認識手段によって前記災害の発生が認識された場合であって前記人存在認識手段によって前記人の存在が認識されないときに前記場所への電気の供給が前記ブレーカ作動手段によって停止させられる前に前記電気錠を施錠する電気錠施錠手段を備え、
前記場所は、複数の部屋を備えた建物であり、
前記人存在認識手段は、前記部屋毎に人の存在を認識し、
前記電源切断手段は、前記部屋毎に前記部屋の出入口の前記電気錠を施錠することを特徴とする請求項１に記載の電気管理サーバ。
【請求項１２】
前記場所から離隔して設置されて前記場所における災害の発生を通知する災害発生通知サーバから前記災害の発生の通知を受信する受信手段を備え、
前記災害発生認識手段は、前記受信手段によって受信された前記通知に基づいて前記災害の発生を認識することを特徴とする請求項１に記載の電気管理サーバ。
【請求項１３】
前記場所に設置されて前記場所における災害の発生を検知するセンサを備え、
前記災害発生認識手段は、前記センサの検出結果に基づいて前記災害の発生を認識することを特徴とする請求項１に記載の電気管理サーバ。
【請求項１４】
前記ブレーカと一体化されたことを特徴とする請求項１に記載の電気管理サーバ。
【請求項１５】
前記災害発生認識手段は、前記災害の発生として地震の発生を認識することを特徴とする請求項１に記載の電気管理サーバ。
【請求項１６】
前記災害発生認識手段は、Ｐ波の発生によって前記地震の発生を認識することを特徴とする請求項１５に記載の電気管理サーバ。
【請求項１７】
所定の場所から離隔して設置されて前記場所における災害の発生を通知する災害発生通知サーバと、前記場所に設置されて前記場所における電気を管理する電気管理サーバとを備え、
前記電気管理サーバは、前記災害の発生の通知を前記災害発生通知サーバから受信する受信手段と、前記受信手段によって受信された前記通知に基づいて前記場所における災害の発生を認識する災害発生認識手段と、前記場所における人の存在を認識する人存在認識手段と、前記災害発生認識手段によって前記災害の発生が認識された場合であって前記人存在認識手段によって前記人の存在が認識されないときに前記場所への電気の供給をブレーカに停止させるブレーカ作動手段とを備えたことを特徴とする災害時電気管理システム。
【請求項１８】
所定の場所における災害の発生を認識する災害発生認識ステップと、前記場所における人の存在を認識する人存在認識ステップと、前記災害発生認識ステップによって前記災害の発生が認識された場合であって前記人存在認識ステップによって前記人の存在が認識されないときに前記場所への電気の供給をブレーカに停止させるブレーカ作動ステップとを備えたことを特徴とする電気管理方法。
【発明の詳細な説明】
【技術分野】
【０００１】
本発明は、災害時に家やビル等において電気を管理する電気管理サーバ、災害時電気管理システム及び電気管理方法に関する。
【背景技術】
【０００２】
従来、地震を観測する方法が知られており（例えば、特許文献１参照。）、地震が観測された場合に家やビル等の建物において漏電火災等による被害の拡大を防止するために電気の供給を自動的にブレーカに停止させるものが知られている。
【特許文献１】特開平１１−２７１４６５号公報
【発明の開示】
【発明が解決しようとする課題】
【０００３】
しかしながら、上述した従来のブレーカの制御方法においては、建物内の照明機器への電気の供給も停止させられるので、夜に地震が発生した場合に建物内が暗くなって建物内の人が建物外に逃げることが困難であるという問題があった。
【０００４】
本発明は、従来の問題を解決するためになされたもので、災害時に被害の拡大を防止することができるとともに人に迅速で安全な避難をさせることができる電気管理サーバ、災害時電気管理システム及び電気管理方法を提供することを目的とする。
【課題を解決するための手段】
【０００５】
本発明の電気管理サーバは、所定の場所における災害の発生を認識する災害発生認識手段と、前記場所における人の存在を認識する人存在認識手段と、前記災害発生認識手段によって前記災害の発生が認識された場合であって前記人存在認識手段によって前記人の存在が認識されないときに前記場所への電気の供給をブレーカに停止させるブレーカ作動手段とを備え、前記場所に設置された構成を有している。
【０００６】
この構成により、本発明の電気管理サーバは、災害時に電気の供給をブレーカに停止させるので、災害時に漏電火災等による被害の拡大を防止することができる。また、本発明の電気管理サーバは、災害時であっても人が存在している間は電気の供給を停止しないので、電気機器によって明かりを生じさせることができ、人に迅速で安全な避難をさせることができる。
【０００７】
また、本発明の電気管理サーバの前記場所は、複数の部屋を備えた建物であり、前記人存在認識手段は、前記部屋毎に人の存在を認識し、前記ブレーカ作動手段は、前記部屋毎に電気の供給を前記ブレーカに停止させる構成を有している。
【０００８】
この構成により、本発明の電気管理サーバは、同一の建物であっても人が居なくなった部屋から順に電気の供給を停止していくので、全ての部屋から人が居なくなった後で全ての部屋への電気の供給を停止する構成と比較して、漏電火災等による被害の拡大をより確実に防止することができる。
【０００９】
また、本発明の電気管理サーバは、前記災害発生認識手段によって前記災害の発生が認識された場合であって前記人存在認識手段によって前記人の存在が認識されないときに前記場所への電気の供給が前記ブレーカ作動手段によって停止させられる前に前記場所に存在する電気機器の電源を切断する電源切断手段を備えた構成を有している。
【００１０】
この構成により、本発明の電気管理サーバは、電気機器の電源を切断するので、漏電火災等による被害の拡大をより確実に防止することができる。
【００１１】
また、本発明の電気管理サーバは、前記災害発生認識手段によって前記災害の発生が認識された場合であって前記人存在認識手段によって前記人の存在が認識されるときに前記場所に存在する電気機器のうち照明機器以外の電気機器の電源を切断する電源切断手段を備えた構成を有している。
【００１２】
この構成により、本発明の電気管理サーバは、照明機器の電源を切断しないので、照明機器の明かりによって人に迅速で安全な避難をさせることができる。また、本発明の電気管理サーバは、照明機器以外の電気機器の電源を切断するので、漏電火災等による被害の拡大をより確実に防止することができる。
【００１３】
また、本発明の電気管理サーバは、前記場所の明るさを認識する明るさ認識手段と、前記災害発生認識手段によって前記災害の発生が認識された場合であって前記人存在認識手段によって前記人の存在が認識されて前記明るさ認識手段によって認識された明るさが所定値未満であるときに前記場所に存在する電気機器のうち照明機器以外の電気機器の電源を切断する電源切断手段とを備えた構成を有している。
【００１４】
この構成により、本発明の電気管理サーバは、所定値未満の明るさであるときに照明機器の電源を切断しないので、照明機器の明かりによって人に迅速で安全な避難をさせることができる。また、本発明の電気管理サーバは、照明機器以外の電気機器の電源を切断するので、漏電火災等による被害の拡大をより確実に防止することができる。
【００１５】
また、本発明の電気管理サーバは、前記災害発生認識手段によって前記災害の発生が認識された場合であって前記人存在認識手段によって前記人の存在が認識されるときに前記場所に存在する電気機器のうち照明機器及び電気錠以外の電気機器の電源を切断する電源切断手段を備えた構成を有している。
【００１６】
この構成により、本発明の電気管理サーバは、照明機器及び電気錠の電源を切断しないので、照明機器の明かりによって人に迅速で安全な避難をさせることができるとともに、電気錠によって避難後の盗難等に対する防犯を行うことができる。また、本発明の電気管理サーバは、照明機器及び電気錠以外の電気機器の電源を切断するので、漏電火災等による被害の拡大をより確実に防止することができる。
【００１７】
また、本発明の電気管理サーバは、前記場所の明るさを認識する明るさ認識手段と、前記災害発生認識手段によって前記災害の発生が認識された場合であって前記人存在認識手段によって前記人の存在が認識されて前記明るさ認識手段によって認識された明るさが所定値未満であるときに前記場所に存在する電気機器のうち照明機器及び電気錠以外の電気機器の電源を切断する電源切断手段とを備えた構成を有している。
【００１８】
この構成により、本発明の電気管理サーバは、所定値未満の明るさであるときに照明機器及び電気錠の電源を切断しないので、照明機器の明かりによって人に迅速で安全な避難をさせることができるとともに、電気錠によって避難後の盗難等に対する防犯を行うことができる。また、本発明の電気管理サーバは、照明機器及び電気錠以外の電気機器の電源を切断するので、漏電火災等による被害の拡大をより確実に防止することができる。
【００１９】
また、本発明の電気管理サーバの前記電源切断手段は、前記電気機器の電源を切断する前に前記電気機器に所定の処理を行わせる構成を有している。
【００２０】
この構成により、本発明の電気管理サーバは、直ちに電源を切断することが望ましくない電気機器の電源を適切に切断することができる。
【００２１】
また、本発明の電気管理サーバの前記場所は、複数の部屋を備えた建物であり、前記人存在認識手段は、前記部屋毎に人の存在を認識し、前記電源切断手段は、前記部屋毎に前記電気機器の電源を切断する構成を有している。
【００２２】
この構成により、本発明の電気管理サーバは、同一の建物であっても人が居なくなった部屋から順に電気機器の電源を切断していくので、全ての部屋から人が居なくなった後で全ての部屋に存在する電気機器の電源を切断する構成と比較して、漏電火災等による被害の拡大をより確実に防止することができる。
【００２３】
また、本発明の電気管理サーバは、前記災害発生認識手段によって前記災害の発生が認識された場合であって前記人存在認識手段によって前記人の存在が認識されないときに前記場所への電気の供給が前記ブレーカ作動手段によって停止させられる前に前記場所の出入口の電気錠を施錠する電気錠施錠手段を備えた構成を有している。
【００２４】
この構成により、本発明の電気管理サーバは、電気錠によって避難後の盗難等に対する防犯を行うことができる。
【００２５】
また、本発明の電気管理サーバの前記場所は、前記災害発生認識手段によって前記災害の発生が認識された場合であって前記人存在認識手段によって前記人の存在が認識されないときに前記場所への電気の供給が前記ブレーカ作動手段によって停止させられる前に前記電気錠を施錠する電気錠施錠手段を備え、前記場所は、複数の部屋を備えた建物であり、前記人存在認識手段は、前記部屋毎に人の存在を認識し、前記電源切断手段は、前記部屋毎に前記部屋の出入口の前記電気錠を施錠する構成を有している。
【００２６】
この構成により、本発明の電気管理サーバは、同一の建物であっても人が居なくなった部屋から順に電気錠を施錠していくので、建物内に人が居なくなった後で建物の出入口の電気錠のみを施錠する構成と比較して、より確実に侵入者を防ぐことができる。
【００２７】
また、本発明の電気管理サーバは、前記場所から離隔して設置されて前記場所における災害の発生を通知する災害発生通知サーバから前記災害の発生の通知を受信する受信手段を備え、前記災害発生認識手段は、前記受信手段によって受信された前記通知に基づいて前記災害の発生を認識する構成を有している。
【００２８】
この構成により、本発明の電気管理サーバは、例えば気象庁、水道局、ガス会社、電力会社等の信頼性の高い組織の災害発生通知サーバからの通知に基づいて地震の発生を認識することができる。
【００２９】
また、本発明の電気管理サーバは、前記場所に設置されて前記場所における災害の発生を検知するセンサを備え、前記災害発生認識手段は、前記センサの検出結果に基づいて前記災害の発生を認識する構成を有している。
【００３０】
この構成により、本発明の電気管理サーバは、災害発生通知サーバと通信ができない状態であっても動作することができる。
【００３１】
また、本発明の電気管理サーバは、前記ブレーカと一体化された構成を有している。
【００３２】
また、本発明の電気管理サーバの前記災害発生認識手段は、前記災害の発生として地震の発生を認識する構成を有している。
【００３３】
また、本発明の電気管理サーバの前記災害発生認識手段は、Ｐ波の発生によって前記地震の発生を認識する構成を有している。
【００３４】
この構成により、本発明の電気管理サーバは、地震の初期段階で迅速に動作を開始することができる。
【００３５】
また、本発明の災害時電気管理システムは、所定の場所から離隔して設置されて前記場所における災害の発生を通知する災害発生通知サーバと、前記場所に設置されて前記場所における電気を管理する電気管理サーバとを備え、前記電気管理サーバは、前記災害の発生の通知を前記災害発生通知サーバから受信する受信手段と、前記受信手段によって受信された前記通知に基づいて前記場所における災害の発生を認識する災害発生認識手段と、前記場所における人の存在を認識する人存在認識手段と、前記災害発生認識手段によって前記災害の発生が認識された場合であって前記人存在認識手段によって前記人の存在が認識されないときに前記場所への電気の供給をブレーカに停止させるブレーカ作動手段とを備えた構成を有している。
【００３６】
この構成により、本発明の災害時電気管理システムは、災害時に電気の供給をブレーカに停止させるので、災害時に漏電火災等による被害の拡大を防止することができる。また、本発明の災害時電気管理システムは、災害時であっても人が存在している間は電気の供給を停止しないので、電気機器によって明かりを生じさせることができ、人に迅速で安全な避難をさせることができる。
【００３７】
また、本発明の電気管理方法は、所定の場所における災害の発生を認識する災害発生認識ステップと、前記場所における人の存在を認識する人存在認識ステップと、前記災害発生認識ステップによって前記災害の発生が認識された場合であって前記人存在認識ステップによって前記人の存在が認識されないときに前記場所への電気の供給をブレーカに停止させるブレーカ作動ステップとを備えた構成を有している。
【００３８】
この構成により、本発明の電気管理方法は、災害時に電気の供給をブレーカに停止させるので、災害時に漏電火災等による被害の拡大を防止することができる。また、本発明の電気管理方法は、災害時であっても人が存在している間は電気の供給を停止しないので、電気機器によって明かりを生じさせることができ、人に迅速で安全な避難をさせることができる。
【発明の効果】
【００３９】
本発明は、災害時に被害の拡大を防止することができるとともに人に迅速で安全な避難をさせることができる電気管理サーバ、災害時電気管理システム及び電気管理方法を提供することができる。
【発明を実施するための最良の形態】
【００４０】
以下、本発明の実施の形態について、図面を用いて説明する。
【００４１】
（第１の実施の形態）
まず、第１の実施の形態に係る災害時電気管理システムの構成について説明する。
【００４２】
図１に示すように、本実施の形態に係る災害時電気管理システムとしての地震時電気管理システム１０は、複数の部屋７１を備えた家やビル等の建物７０から離隔して設置されて建物７０における地震の発生を通知する災害発生通知サーバとしての地震発生通知サーバ２０と、ネットワーク１１を介して地震発生通知サーバ２０と通信可能であって建物７０に設置されて建物７０における電気を管理する電気管理サーバ３０と、各部屋７１に設置されて各部屋７１における人の存在を検出する人感センサ４１と、各部屋７１に設置されて各部屋７１の明るさを検出する明るさセンサ４２と、各部屋７１に設置されて照明機器５１ａを含む電気機器５１と、建物７０に設置されて建物７０の出入口を施錠する電気錠６１と、建物７０に設置されて建物７０への電気の供給を停止させるブレーカ６２とを備えている。
【００４３】
ここで、地震発生通知サーバ２０は、地震波のうちＰ波の発生を検知することによって地震の発生を検知するようになっている。
【００４４】
また、電気管理サーバ３０は、地震発生通知サーバ２０からネットワーク１１を介して地震の発生の通知を受信するようになっており、受信手段を構成している。また、電気管理サーバ３０は、地震発生通知サーバ２０から受信した通知に基づいて建物７０における地震の発生を認識するようになっており、災害発生認識手段を構成している。
【００４５】
また、電気管理サーバ３０は、人感センサ４１の検出結果に基づいて各部屋７１における人の存在を認識するようになっており、人存在認識手段を構成している。
【００４６】
また、電気管理サーバ３０は、地震の発生を認識した場合であって全ての部屋７１において人の存在を認識しないときに建物７０への電気の供給をブレーカ６２に停止させるようになっており、ブレーカ作動手段を構成している。
【００４７】
また、電気管理サーバ３０は、明るさセンサ４２の検出結果に基づいて各部屋７１の明るさを認識するようになっており、明るさ認識手段を構成している。
【００４８】
また、電気管理サーバ３０は、地震の発生を認識した場合であって部屋７１において人の存在を認識しないときに建物７０への電気の供給を停止する前に部屋７１の電気機器５１の電源を切断し、地震の発生を認識した場合であって部屋７１において人の存在を認識して部屋７１の明るさが所定値未満であるときに部屋７１の電気機器５１のうち照明機器５１ａ以外の電気機器の電源を切断するようになっており、電源切断手段を構成している。ここで、所定値の明るさとは、例えば、人が避難できる程度以上の明るさ、人が避難のための持参品を探せる程度以上の明るさ、テレビ等に映し出された地震情報を人が見ることができる程度以上の明るさ等である。
【００４９】
また、電気管理サーバ３０は、地震の発生を認識した場合であって全ての部屋７１において人の存在を認識しないときに建物７０への電気の供給を停止する前に電気錠６１を施錠するようになっており、電気錠施錠手段を構成している。
【００５０】
なお、電気管理サーバ３０は、ブレーカ６２と一体化されていても良い。
【００５１】
次に、地震時電気管理システム１０の動作について説明する。
【００５２】
地震の発生によってＰ波が発生すると、地震発生通知サーバ２０は、Ｐ波の発生を検知することによって地震の発生を検知し、地震の発生をネットワーク１１を介して電気管理サーバ３０に通知する。
【００５３】
電気管理サーバ３０は、図２に示すように、建物７０における地震の発生を認識するまで建物７０における地震の発生を認識したか否かを判断しており（Ｓ８１）、地震発生通知サーバ２０からネットワーク１１を介して地震の発生の通知を受信することによって建物７０における地震の発生を認識すると、建物７０における地震の発生を認識したとＳ８１において判断し、電源が切断されていない電気機器５１が存在する部屋７１があるか否かを判断する（Ｓ８２）。
【００５４】
電気管理サーバ３０は、電源が切断されていない電気機器５１が存在する部屋７１があるとＳ８２において判断すると、電源が切断されていない電気機器５１が存在する部屋７１の何れか１つを処理対象とし（Ｓ８３）、処理対象の部屋７１に人が存在するか否かを判断する（Ｓ８４）。
【００５５】
電気管理サーバ３０は、人感センサ４１の検出結果に基づいて処理対象の部屋７１に人が存在しないとＳ８４において判断すると、処理対象の部屋７１の全ての電気機器５１の電源を切断し（Ｓ８５）、Ｓ８２に戻る。一方、電気管理サーバ３０は、人感センサ４１の検出結果に基づいて処理対象の部屋７１に人が存在するとＳ８４において判断すると、処理対象の部屋７１の明るさが所定値未満か否かを判断する（Ｓ８６）。
【００５６】
電気管理サーバ３０は、明るさセンサ４２の検出結果に基づいて処理対象の部屋７１の明るさが所定値以上であるとＳ８６において判断すると、Ｓ８５を実行する。一方、電気管理サーバ３０は、明るさセンサ４２の検出結果に基づいて処理対象の部屋７１の明るさが所定値未満であるとＳ８６において判断すると、処理対象の部屋７１の電気機器５１のうち照明機器５１ａ以外の全ての電気機器の電源を切断し（Ｓ８７）、Ｓ８２に戻る。
【００５７】
なお、電気管理サーバ３０は、Ｓ８５又はＳ８７において電気機器５１の電源を切断するに際し、電気機器５１のうち直ちに電源を切断することが望ましくない電気機器の電源を切断する前に、その電気機器に所定の処理を行わせるようになっていれば、直ちに電源を切断することが望ましくない電気機器の電源を適切に切断することができる。例えば、電気管理サーバ３０は、電源を切断する電気機器がパソコンである場合、パソコンの電源を切断する前に、作成中の文書等をセーブする処理等を所定の処理としてパソコンに行わせるようになっている。
【００５８】
電気管理サーバ３０は、電源が切断されていない電気機器５１が存在する部屋７１がないとＳ８２において判断すると、建物７０の出入口を電気錠６１によって施錠した後（Ｓ８８）、建物７０への電気の供給をブレーカ６２に停止させて（Ｓ８９）、処理を終了する。
【００５９】
なお、電気管理サーバ３０は、ブレーカ６２を介して電源から電気が供給されている場合、建物７０への電気の供給がブレーカ６２によって停止させられることによって動作不能になるが、ブレーカ６２を介して電気を供給する電源とは別の電源から電気が供給されている場合、建物７０への電気の供給がブレーカ６２によって停止させられたとしても動作を継続することができる。
【００６０】
以上に説明したように、地震時電気管理システム１０は、地震時に建物７０への電気の供給をブレーカ６２に停止させるので、地震時に漏電火災等による被害の拡大を防止することができる。また、地震時電気管理システム１０は、地震時であっても人が存在している間は建物７０への電気の供給を停止しないので、照明機器５１ａ等の電気機器５１によって明かりを生じさせることができ、人に迅速で安全な避難をさせることができる。
【００６１】
電気管理サーバ３０は、部屋７１毎に人の存在を認識し、部屋７１毎に電気機器５１の電源を切断するようになっており、同一の建物７０であっても人が居なくなった部屋７１から順に電気機器５１の電源を切断していくので、全ての部屋７１から人が居なくなった後で全ての部屋７１に存在する電気機器５１の電源を切断する構成と比較して、漏電火災等による被害の拡大をより確実に防止することができる。
【００６２】
また、電気管理サーバ３０は、建物７０における地震の発生を認識した場合であって部屋７１内に人の存在を認識するときに、人の存在を認識した部屋７１の照明機器５１ａの電源を切断しないので、照明機器５１ａの明かりによって人に迅速で安全な避難をさせることができる。
【００６３】
また、電気管理サーバ３０は、建物７０における地震の発生を認識した場合であって全ての部屋７１内に人の存在を認識しないときに建物７０への電気の供給を停止する前に建物７０の電気錠６１を施錠するので、電気錠６１によって避難後の盗難等に対する防犯を行うことができる。
【００６４】
また、電気管理サーバ３０は、地震発生通知サーバ２０からネットワーク１１を介して受信した地震の発生の通知に基づいて地震の発生を認識するようになっているので、例えば気象庁、水道局、ガス会社、電力会社等の信頼性の高い組織の地震発生通知サーバ２０からの通知に基づいて地震の発生を認識することができる。
【００６５】
また、地震時電気管理システム１０は、Ｐ波の発生によって地震の発生を検知するようになっているので、地震の初期段階で電気管理サーバ３０が迅速に動作を開始することができる。
【００６６】
なお、電気管理サーバ３０は、人感センサ４１の検出結果に基づいて処理対象の部屋７１に人が存在しないとＳ８４において判断するとＳ８６の処理を行うようになっているが、Ｓ８６の処理を設けずに人感センサ４１の検出結果に基づいて処理対象の部屋７１に人が存在しないとＳ８４において判断するとＳ８７の処理を行うようになっていても良い。
【００６７】
また、ブレーカ６２は、建物７０への電気の供給を停止させるようになっているが、各部屋７１への電気の供給を停止させるようになっていても良い。ブレーカ６２が各部屋７１への電気の供給を停止させるようになっている場合、電気管理サーバ３０は、部屋７１毎に人の存在を認識して部屋７１毎にブレーカ６２を停止させるようになっていれば、同一の建物７０であっても人が居なくなった部屋７１から順に電気の供給を停止していくことができるので、漏電火災等による被害の拡大をより確実に防止することができる。
【００６８】
また、電気錠６１は、建物７０に設置されて建物７０の出入口を施錠するようになっているが、各部屋７１に設置されて各部屋７１の出入口を施錠するようになっていても良い。電気錠６１が各部屋７１に設置されて各部屋７１の出入口を施錠するようになっている場合、電気管理サーバ３０は、部屋７１毎に人の存在を認識して部屋７１毎に電気錠６１を施錠するようになっていれば、同一の建物７０であっても人が居なくなった部屋７１から順に電気錠６１を施錠していくことができるので、より確実に侵入者を防ぐことができる。
【００６９】
また、電気管理サーバ３０は、人感センサ４１の検出結果に基づいて各部屋７１における人の存在を認識するようになっているが、各部屋７１に設置された監視カメラからの映像に基づいて各部屋７１における人の存在を認識するようになっていても良い。
【００７０】
また、地震時電気管理システム１０は、Ｐ波の発生によって地震の発生を検知する以外の方法によって地震の発生を検知するようになっていても良い。例えば、地震時電気管理システム１０は、地震波のうちＳ波の発生によって地震の発生を検知するようになっていても良い。
【００７１】
また、地震時電気管理システム１０は、災害として地震に対応しているが、地震以外の災害に対応していても良い。例えば、地震時電気管理システム１０は、災害として津波、台風、雷等に対応していても良い。
【００７２】
（第２の実施の形態）
まず、第２の実施の形態に係る災害時電気管理システムの構成について説明する。
【００７３】
なお、本実施の形態に係る災害時電気管理システムの構成のうち第１の実施の形態に係る地震時電気管理システム１０（図１参照。）の構成と同様の構成については、地震時電気管理システム１０の構成と同一の符号を付して詳細な説明を省略する。
【００７４】
図３に示すように、本実施の形態に係る災害時電気管理システムとしての地震時電気管理システム１１０の構成は、建物７０に設置されて建物７０における電気を管理する電気管理サーバ１３０と、建物７０に設置されて建物７０における地震の発生を検知する地震センサ１４０とを地震発生通知サーバ２０（図１参照。）及び電気管理サーバ３０（図１参照。）に代えて地震時電気管理システム１０が備えた構成と同様である。
【００７５】
なお、電気管理サーバ１３０は、地震発生通知サーバ２０から受信した通知に基づいて建物７０における地震の発生を認識するのではなく、地震センサ１４０の検出結果に基づいて地震の発生を認識するようになっていることを除いて、電気管理サーバ３０と同様な構成である。
【００７６】
次に、地震時電気管理システム１１０の動作について説明する。
【００７７】
地震の発生によってＰ波が発生すると、地震センサ１４０は、Ｐ波の発生を検知することによって地震の発生を検知する。
【００７８】
地震センサ１４０が地震の発生を検知すると、電気管理サーバ１３０は、地震センサ１４０の検出結果に基づいて地震の発生を認識し、建物７０における地震の発生を認識したとＳ８１（図２参照。）において判断する。
【００７９】
地震時電気管理システム１１０の以降の動作は、第１の実施の形態に係る地震時電気管理システム１０（図１参照。）の動作と同様であるので、説明を省略する。
【００８０】
以上に説明したように、電気管理サーバ１３０は、第１の実施の形態に係る地震発生通知サーバ２０（図１参照。）のような地震発生通知サーバと通信ができない状態であっても動作することができる。
【図面の簡単な説明】
【００８１】
【図１】本発明の第１の実施の形態に係る災害時電気管理システムのブロック図。
【図２】図１に示す災害時電気管理システムの電気管理サーバの動作のフローチャート。
【図３】本発明の第２の実施の形態に係る災害時電気管理システムのブロック図。
【符号の説明】
【００８２】
１０  地震時電気管理システム（災害時電気管理システム）
２０  地震発生通知サーバ（災害発生通知サーバ）
３０  電気管理サーバ（災害発生認識手段、人存在認識手段、ブレーカ作動手段、電源切断手段、明るさ認識手段、電気錠施錠手段、受信手段）
５１  電気機器
５１ａ  照明機器
６１  電気錠
６２  ブレーカ
７０  建物
７１  部屋
１１０  地震時電気管理システム（災害時電気管理システム）
１３０  電気管理サーバ（災害発生認識手段、人存在認識手段、ブレーカ作動手段、電源切断手段、明るさ認識手段、電気錠施錠手段、受信手段）
１４０  地震センサ
【図１】
2007151303.tif 000003
【図２】
2007151303.tif 000004
【図３】
2007151303.tif 000005